(57)【要約】【課題】基板ケースが開封されたことを発見しやすくすることで、不正行為の防止および早期発見を実現する。【解決手段】ベース体１１０と、ベース体に対して開閉自在に設けられたカバー部材１２０とで、内部に基板を収容可能な収容空間１３０が区画形成される。ベース体には、収容空間の外方にネジ穴が設けられ、カバー部材には、収容空間を区画形成する隔壁部１２０ｄから、収容空間より離隔する方向に突出する突出部２０６と、ベース体に対してカバー部材が閉じられた状態でネジ穴に対向配置され、ネジ穴との対向方向に延在するとともに、突出部に連続して形成され、ネジ穴に対して封止手段によって封止される延在壁部２０８と、が設けられる。延在壁部のうち、突出部と連続する延在壁部の側面２０８ａには隆起部２２０が形成される。【選択図】図３
2014161638.tif 000002
【特許請求の範囲】
【請求項１】
ベース体と、
前記ベース体に対して開閉自在に設けられたカバー部材と、
前記ベース体に対して前記カバー部材が閉じられた状態で、該ベース体の隔壁と該カバー部材の隔壁とによって区画形成される、内部に基板を収容可能な収容空間と、
前記ベース体および前記カバー部材のいずれか一方に設けられ、前記収容空間の外方に設けられた第１の封止部と、
前記ベース体および前記カバー部材のいずれか他方に設けられ、前記収容空間を区画形成する隔壁から、該収容空間より離隔する方向に突出する突出部と、
前記突出部に連続して形成され、前記ベース体に対して前記カバー部材が閉じられた状態で前記第１の封止部に対向配置されるとともに、該第１の封止部に対して封止手段を介して封止される第２の封止部と、
を備え、
前記第２の封止部は、前記第１の封止部との対向方向に延在するとともに、該第２の封止部の側面には、該第２の封止部と前記突出部とが連続する連続部よりも該突出部側に隆起する隆起部が形成されていることを特徴とする基板ケースを備えた遊技機。
【請求項２】
前記隆起部は、前記第２の封止部および前記突出部の双方に一体成形されていることを特徴とする請求項１に記載の基板ケースを備えた遊技機。
【請求項３】
前記第２の封止部は、少なくとも前記突出部を境にして前記第１の封止部とは反対側に延在しており、
前記隆起部は、前記突出部を境にして前記第１の封止部とは反対側に設けられていることを特徴とする請求項１または２に記載の基板ケースを備えた遊技機。
【請求項４】
前記隆起部は、前記突出部に近接するにつれて徐々に隆起量が増す傾斜形状であることを特徴とする請求項１〜３のいずれか１項に記載の基板ケースを備えた遊技機。
【請求項５】
前記突出部は、前記収容空間を区画形成する前記ベース体または前記カバー部材の隔壁から立設されており、
前記第２の封止部は、前記突出部の突出方向に直交する方向に延在していることを特徴とする請求項１〜４のいずれか１項に記載の基板ケースを備えた遊技機。
【発明の詳細な説明】
【技術分野】
【０００１】
本発明は、基板が収容される収容空間が区画形成された基板ケースを備えた遊技機に関する。
【背景技術】
【０００２】
一般的に、遊技機においては、遊技の進行を制御する主制御基板や、賞球の払出を制御する払出制御基板等、種々の基板が設けられている。こうした遊技機においては、各種の基板を改竄したり、正規の基板を不正な基板に交換したりするような不正行為が行われるおそれがある。
【０００３】
そこで、従来の遊技機においては、例えば、特許文献１、２に示されるように、基板ケースに封印機構を設け、基板ケースを一度封印すると、封印機構を破壊、切断しない限り、再度基板ケースを開封することができないようにしている。これにより、基板ケースに破壊や切断の痕跡が残っていれば、基板ケースが開封されたことを把握することができ、不正行為の有無を判断することができる。
【先行技術文献】
【特許文献】
【０００４】
【特許文献１】特開平１０−２１６３２４号公報
【特許文献２】特開２０１２−１５７４６５号公報
【発明の概要】
【発明が解決しようとする課題】
【０００５】
しかしながら、近年では、封印機構を切断する際の痕跡が発見されないような、巧妙な手口で基板ケースが開封されてしまうという実態がある。
【０００６】
そこで、本発明は、基板ケースが開封されたことを発見しやすくすることで、不正行為の防止および早期発見を実現する遊技機を提供することを目的とする。
【課題を解決するための手段】
【０００７】
上記課題を解決するために、本発明の基板ケースを備えた遊技機は、ベース体と、前記ベース体に対して開閉自在に設けられたカバー部材と、前記ベース体に対して前記カバー部材が閉じられた状態で、該ベース体の隔壁と該カバー部材の隔壁とによって区画形成される、内部に基板を収容可能な収容空間と、前記ベース体および前記カバー部材のいずれか一方に設けられ、前記収容空間の外方に設けられた第１の封止部と、前記ベース体および前記カバー部材のいずれか他方に設けられ、前記収容空間を区画形成する隔壁から、該収容空間より離隔する方向に突出する突出部と、前記突出部に連続して形成され、前記ベース体に対して前記カバー部材が閉じられた状態で前記第１の封止部に対向配置されるとともに、該第１の封止部に対して封止手段を介して封止される第２の封止部と、を備え、前記第２の封止部は、前記第１の封止部との対向方向に延在するとともに、該第２の封止部の側面には、該第２の封止部と前記突出部とが連続する連続部よりも該突出部側に隆起する隆起部が形成されていることを特徴とする。
【０００８】
また、前記隆起部は、前記第２の封止部および前記突出部の双方に一体成形されているとよい。
【０００９】
また、前記第２の封止部は、少なくとも前記突出部を境にして前記第１の封止部とは反対側に延在しており、前記隆起部は、前記突出部を境にして前記第１の封止部とは反対側に設けられているとよい。
【００１０】
また、前記隆起部は、前記突出部に近接するにつれて徐々に隆起量が増す傾斜形状であるとよい。
【００１１】
また、前記突出部は、前記収容空間を区画形成する前記ベース体または前記カバー部材の隔壁から立設されており、前記第２の封止部は、前記突出部の突出方向に直交する方向に延在しているとよい。
【発明の効果】
【００１２】
本発明によれば、基板ケースが開封されたことを発見しやすくなり、不正行為の防止および早期発見を実現することができる。
【図面の簡単な説明】
【００１３】
【図１】本実施形態の遊技機の斜視図である。
【図２】基板ケースの斜視図である。
【図３】図２の部分拡大図である。
【図４】図３のＩＶ−ＩＶ線における概略断面図である。
【図５】突出部の切断部位を説明する図である。
【図６】比較例の基板ケースにおける突出部の切断部位を説明する図である。
【発明を実施するための形態】
【００１４】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
図１は、本実施形態の遊技機１の斜視図であり、扉が開放された状態を示している。図示のように、遊技機１は、略矩形状に組まれた四辺によって囲繞空間が形成される外枠３と、この外枠３にヒンジ機構によって開閉自在に取り付けられた中枠５と、この中枠５に、ヒンジ機構によって開閉自在に取り付けられた前枠７と、を備えている。
【００１６】
中枠５は、外枠３と同様に、略矩形状に組まれた四辺によって囲繞空間が形成されており、この囲繞空間に遊技盤９が保持されている。また、前枠７には、ガラス製または樹脂製の透過板１１が保持されている。そして、これら中枠５および前枠７を外枠３に対して閉じると、遊技盤９と透過板１１とが所定の間隔を維持して略平行に対面するとともに、遊技機１の正面側から、透過板１１を介して遊技盤９が視認可能となる。
【００１７】
詳しい説明は省略するが、遊技盤９の前面には、不図示の釘や風車が設けられており、遊技盤９と透過板１１との間隔によって形成される遊技領域を、遊技球が不規則に転動、流下する。また、遊技盤９の前面には、複数の入賞口が設けられており、これらの入賞口に遊技球が入球すると、前枠７の前面に設けられた上皿に、賞球として遊技球が払い出されることとなる。
【００１８】
そして、遊技盤９の背面には、遊技の進行を制御する主制御基板、演出を制御する副制御基板、賞球の払出を制御する払出制御基板等の種々の基板が、基板ケースに収容された状態で固定されている。以下に、これらの各基板を収容する基板ケースについて説明する。
【００１９】
図２は、基板ケース１００の斜視図である。なお、以下では、図２に示すｘ方向を基板ケースの幅方向とし、ｙ方向を基板ケースの高さ方向とし、ｚ方向を基板ケースの厚さ方向として説明する。基板ケース１００は、遊技盤９に固定されるベース体１１０と、このベース体１１０に対して開閉自在に設けられたカバー部材１２０とを備えている。ベース体１１０は、矩形状の平面部１１０ａと、この平面部１１０ａの側縁から垂直に起立する３つの隔壁部１１０ｂ、１１０ｃ、１１０ｄとを備えている。隔壁部１１０ｂ、１１０ｃは、基板ケース１００の高さ方向に平行に対向しており、隔壁部１１０ｄは、隔壁部１１０ｂ、１１０ｃにおける基板ケース１００の幅方向の一端部に連続している。したがって、ベース体１１０は、隔壁部１１０ｂ、１１０ｃ、１１０ｄによって四辺のうちの三辺が囲繞されており、基板ケース１００の幅方向の他端側、すなわち、隔壁部１１０ｄに対向する開口部１１０ｅが外部に開口することとなる。
【００２０】
また、カバー部材１２０は、外形が矩形状の平面部１２０ａと、この平面部１２０ａから基板ケース１００の厚さ方向に垂直に起立する隔壁部１２０ｂ、１２０ｃ、１２０ｄ、１２０ｅと、これら隔壁部１２０ｂ、１２０ｃ、１２０ｄ、１２０ｅの起立方向の端部に連続し、平面部１２０ａと平行な面である収容面１２０ｆとを備えている。平面部１２０ａは、ベース体１１０の平面部１１０ａよりも僅かに面積が小さく形成されており、ベース体１１０の隔壁部１１０ｂ、１１０ｃ、１１０ｄに囲繞された空間内に収容可能な寸法関係を維持している。
【００２１】
隔壁部１２０ｂ、１２０ｃは、基板ケース１００の高さ方向に対向しており、隔壁部１２０ｄ、１２０ｅは、基板ケース１００の幅方向に対向している。これら隔壁部１２０ｂ、１２０ｃ、１２０ｄ、１２０ｅと、収容面１２０ｆとによって、カバー部材１２０には、内部に基板を収容可能な収容空間１３０が形成されている。この収容空間１３０におけるｘｙ断面の面積は、カバー部材１２０全体のｘｙ断面の面積よりも小さく形成されており、平面部１２０ａには、収容空間１３０の外部に接続端子を露出させたコネクタ１２２が設けられている。
【００２２】
上記の基板ケース１００に基板を収容する場合には、カバー部材１２０をベース体１１０から取り外した状態で、収容空間１３０に基板を収容して固定する。その後、隔壁部１２０ｄを先頭にして、カバー部材１２０をベース体１１０の開口部１１０ｅから、基板ケース１００の幅方向にスライドさせる。これにより、ベース体１１０に対してカバー部材１２０が閉じられるとともに、図示の状態では、ベース体１１０の平面部１１０ａ、カバー部材１２０の収容面１２０ｆ、隔壁部１２０ｂ、１２０ｃ、１２０ｄ、１２０ｅによって、収容空間１３０が外部から閉鎖された閉鎖空間となり、収容空間１３０に収容された基板へのアクセスが不可能となる。
【００２３】
なお、ベース体１１０の隔壁部１１０ｂ、１１０ｃには、これら隔壁部１１０ｂ、１１０ｃの対向方向に突出する爪部１１２が複数設けられている。この爪部１１２は、ベース体１１０に対して、カバー部材１２０が、基板ケース１００の厚さ方向に脱落するのを規制するとともに、カバー部材１２０のベース体１１０に対するスライドをガイドする機能を担っている。
【００２４】
そして、基板ケース１００には、ベース体１１０に対してカバー部材１２０を封止するための封止機構２００が設けられている。この封止機構２００は、ベース体１１０とカバー部材１２０とを互いに固定し、ベース体１１０に対するカバー部材１２０の開封を規制するためのものである。封止機構２００により、ベース体１１０に対してカバー部材１２０が一度封止されると、封止機構２００の破壊を伴わずしてカバー部材１２０を開封することができなくなる。この封止機構２００について、図３および図４を用いて詳述する。
【００２５】
図３は、図２の部分拡大図であり、図４は、図３のＩＶ−ＩＶ線における概略断面図である。図３および図４に示すように、ベース体１１０には、隔壁部１１０ｄに一体成形され、隔壁部１１０ｄからさらに基板ケース１００の幅方向に垂直に突出する固定部２０２が設けられている。この固定部２０２は、基板が収容される収容空間１３０の外方に位置しており、ベース体１１０とカバー部材１２０との対向方向に直交する上面部２０２ａに、第１の封止部を構成する２つのネジ穴２０４を開口させている。
【００２６】
一方、カバー部材１２０には、隔壁部１２０ｄに一体成形されるとともに、隔壁部１２０ｄから、収容空間１３０より離隔する方向に垂直に突出する突出部２０６が立設されている。この突出部２０６は、ベース体１１０に対してカバー部材１２０が閉じられた状態で、固定部２０２に対して空隙を維持して対向する。また、突出部２０６の先端には、ベース体１１０に対してカバー部材１２０が閉じられた状態で、ネジ穴２０４に対向配置される２つの延在壁部２０８が設けられている。この延在壁部２０８は、第２の封止部を構成するものであり、突出部２０６の先端に連続して一体成形されている。
【００２７】
より具体的には、延在壁部２０８は円筒状に形成されており、突出部２０６の突出方向先端部に位置する連続部２０６ａは、延在壁部２０８の側面２０８ａの曲率に一致する湾曲形状となっている。また、延在壁部２０８は、ネジ穴２０４との対向方向（ｚ方向）、換言すれば、突出部２０６の突出方向に直交する方向に軸心を一致させて延在している。このとき、図４からも明らかなように、延在壁部２０８は、突出部２０６よりもネジ穴２０４側に延在しており、ベース体１１０に対してカバー部材１２０が閉じられた状態で、延在壁部２０８の延在方向の一端面が、ネジ穴２０４を完全に被覆するように、固定部２０２の上面部２０２ａに面接触する。また、延在壁部２０８は、突出部２０６を境にしてネジ穴２０４とは反対側にも延在しており、その延在方向の端面の中心には、貫通孔２０８ｂが形成されている。
【００２８】
ここで、延在壁部２０８の内部には、封止手段を構成する封止ネジ２１０が予め収容されている。この封止ネジ２１０には、ネジ穴２０４に形成されたネジ溝に螺合する雄ネジが切られており、頭部２１０ａに形成された溝にドライバーを嵌合して回転させると、図４（ａ）に示す状態から図４（ｂ）に示す状態となる。このように、封止ネジ２１０がネジ穴２０４に螺合することで、カバー部材１２０がベース体１１０に固定されることとなる。なお、封止ネジ２１０は、いわゆるワンウェイタイプのネジで構成されており、締付方向への回転は可能であるが、弛み方向への回転が不可能となっている。そのため、一度封止ネジ２１０をネジ穴２０４に螺合させると、封止ネジ２１０をネジ穴２０４から取り外すことができない。つまり、延在壁部２０８がネジ穴２０４に対して封止ネジ２１０によって封止されると、ベース体１１０とカバー部材１２０とを、破壊を伴わずに再度開封することができなくなっている。
【００２９】
こうした封止機構２００を備えることにより、基板ケース１００に収容された基板を改竄したり、正規の基板を不正な基板に交換したりする不正行為は、封止機構２００を破壊したうえで行わなければならない。したがって、仮に不正行為が行われたとしても、封止機構２００における破壊の痕跡を早期に発見することができれば、不正に遊技が行われるのを未然に防いで、被害を最小限に抑えることができる。しかしながら、近年、延在壁部２０８と突出部２０６との連続部分を、痕跡が発見しにくいように巧妙に切断し、基板ケース１００が不正に開封されたことの発見が遅れてしまうといった事態が現実に生じている。そこで、本実施形態では、延在壁部２０８に隆起部２２０を設けることで、突出部２０６が不正に切断された場合に、その痕跡を発見しやすくして、不正行為の予防と、仮に不正行為がなされた場合における早期発見とを実現する。
【００３０】
具体的には、隆起部２２０は、突出部２０６の連続部２０６ａに連続する延在壁部２０８の側面２０８ａに設けられており、延在壁部２０８とネジ穴２０４との対向方向に直交する方向、より詳細には、突出部２０６の突出方向に隆起している。この隆起部２２０は、突出部２０６を境にしてネジ穴２０４とは反対側に設けられており、延在壁部２０８の延在方向、すなわち、基板ケース１００の厚さ方向に所定の長さを有している。また、隆起部２２０は、基板ケース１００の厚さ方向において、突出部２０６に近接するにつれて徐々に隆起量が増す、換言すれば、延在壁部２０８の側面２０８ａからの隆起量が増す傾斜形状となっている。
【００３１】
このように、隆起部２２０は、突出部２０６の連続部２０６ａ、すなわち、延在壁部２０８の側面２０８ａよりも突出部２０６側に隆起した状態で、延在壁部２０８および突出部２０６と一体成形されている。
【００３２】
図５は、突出部２０６の切断部位を説明する図であり、図６は、比較例の基板ケースＸにおける突出部２０６の切断部位を説明する図である。なお、図６に示す比較例の基板ケースＸは、本実施形態の基板ケース１００と基本的な構成は同一であるが、延在壁部２０８と突出部２０６とを繋ぐ隆起部２２０が設けられていない点のみが異なっている。したがって、比較例の基板ケースＸについても、本実施形態の基板ケース１００と同一の構成については同一の符号を付して説明する。
【００３３】
隆起部２２０を有していない比較例の基板ケースＸを不正に開封する場合には、図６の符号ａで示す位置や符号ｂで示す位置で封止機構２００の切断がなされることが想定される。符号ａで示す位置で切断された場合には、基板ケース１００の高さ方向（ｙ方向）に切断線がはっきりと現れるが、符号ｂで示す位置で切断された場合には、切断線の一部が延在壁部２０８の側面２０８ａに重なる。そのため、比較例の基板ケースＸに対して、符号ｂで示す位置で封止機構２００の切断がなされると、符号ａで示す位置で封止機構２００の切断がなされた場合よりも切断線が発見しにくく、不正行為の発見が遅れてしまうという実態があった。
【００３４】
これに対して、本実施形態の封止機構２００によれば、図５に示すように、延在壁部２０８の側面２０８ａに隆起部２２０が設けられていることから、符号ａ、ｂで示すいずれの位置で封止機構２００の切断がなされたとしても、その切断線すなわち痕跡が、隆起部２２０にはっきりと現れる。つまり、隆起部２２０を設けることで、比較例の基板ケースＸに比して、切断線がより長く現れる。しかも、本実施形態においては、隆起部２２０が突出部２０６に近づくにつれて徐々に隆起量を増す傾斜形状となっているため、突出部２０６を垂直に切断するのが困難となり、切断した断面が目立ちやすくなる。これにより、基板ケース１００の不正な開封を予防するとともに、仮に不正な開封がなされた場合には、不正行為を早期に発見することができる。
【００３５】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００３６】
上記実施形態では、ベース体１１０に第１の封止部としてのネジ穴２０４を設け、カバー部材１２０に第２の封止部としての延在壁部２０８を設けたが、これとは逆に、ベース体１１０に第２の封止部を設け、カバー部材１２０に第１の封止部を設けてもよい。
また、上記実施形態では、カバー部材１２０に基板を収容、固定することとしたが、ベース体１１０に基板を固定してもよい。いずれにしても、ベース体に対してカバー部材が閉じられた状態で、ベース体の隔壁とカバー部材の隔壁とによって、内部に基板を収容可能な収容空間が形成される構成であれば、その具体的な構成は特に限定されるものではない。
【００３７】
また、上記実施形態では、カバー部材１２０をベース体１１０に対してスライドさせて開閉する構造について説明したが、ベース体１１０やカバー部材１２０の形状、構造は一例に過ぎない。したがって、ベース体１１０に対してカバー部材１２０を回動させて開閉するように構成してもよいし、ベース体１１０とカバー部材１２０とを単に積層させることで開閉する構成としてもよい。
【００３８】
また、上記実施形態では、封止手段としてワンウェイタイプの封止ネジ２１０を用いる場合について説明したが、封止手段の構成はこれに限らない。いずれにしても、第１の封止部と第２の封止部とを互いに固定、封止することができれば、例えば、封止手段として接着剤を用いてもよい。さらには、上記実施形態では、封止手段によって、破壊を伴わなければ再度開封することができなくなる場合について説明したが、例えば、専用の治具や工具を利用したり、特殊な操作を行ったりした場合には、破壊せずとも開封できるように構成してもよい。
【００３９】
また、上記実施形態では、第１の封止部および第２の封止部をそれぞれ２つずつ設ける場合について説明したが、第１の封止部および第２の封止部は１つのみ設けてもよいし、３つ以上設けても構わない。
【符号の説明】
【００４０】
１     …遊技機
１００  …基板ケース
１１０  …ベース体
１２０  …カバー部材
１２０ｄ  …隔壁部（隔壁）
１３０  …収容空間
２０４  …ネジ穴（第１の封止部）
２０６  …突出部
２０６ａ  …連続部
２０８  …延在壁部（第２の封止部）
２１０  …封止ネジ（封止手段）
２２０  …隆起部
【図１】
2014161638.tif 000003
【図２】
2014161638.tif 000004
【図３】
2014161638.tif 000005
【図４】
2014161638.tif 000006
【図５】
2014161638.tif 000007
【図６】
2014161638.tif 000008